(57)【要約】      （修正有）【課題】消防用ホースを堅く、迅速に巻き取ることができ、しかも、巻き取った消防用ホースを容易に取り外せる消防用ホース巻き取り機を提供する。【解決手段】消防用ホース巻き取り機は、クランクシャフト４Ｂａの回転に伴って互いに周りを回転する平行な一対の円板側巻付棒４ＤＡおよびカム側巻付棒４ＤＢに消防用ホースＨを巻き込むことにより消防用ホースを巻き取るものであって、クランクシャフト４Ｂａを正回転させた場合には一対の円板側巻付棒４ＤＡおよびカム側巻付棒４ＤＢ間の距離を所定の距離Ｌ１に接近させた状態とし、この接近させた状態からクランクシャフト４Ｂａを逆回転させた場合には一対の円板側巻付棒４ＤＡおよびカム側巻付棒４ＤＢ間の距離を一端遠ざけた距離Ｌ２の状態とした後に再び接近させた距離Ｌ３の状態とする緩め機構を有している。【選択図】図７
0003140799.tif 000002
【実用新案登録請求の範囲】
【請求項１】
回転軸の回転に伴って互いに互いの周りを回転する平行な一対の巻き付け棒に消防用ホースを巻き込むことにより消防用ホースを巻き取る消防用ホース巻き取り機であって、
前記回転軸を正回転させた場合には前記一対の巻き付け棒間の距離を所定の距離に接近させた状態とし、該接近させた状態から前記回転軸を逆回転させた場合には前記一対の巻き付け棒間の距離を一端遠ざけた状態とした後に再び接近させた状態とする緩め機構を有していることを特徴とする消防用ホース巻き取り機。
【請求項２】
前記緩め機構が、前記回転軸の回転に伴って回転する円板の変心位置に、該円板に垂直に固定された前記一方の巻き付け棒と、
該一方の巻き付け棒が伸びる側に前記円板に対向して配置されかつ前記回転軸と同軸上に回転自在に支承された略半円状のカムと、
該カムの回転軸の変心位置に、該カムに垂直に固定された前記他方の巻き付け棒と、
によって構成されていることを特徴とする請求項１に記載の消防用ホース巻き取り機。
【請求項３】
消防用ホースを案内すると共に消防用ホースを巻き取る際に該消防用ホースに適度な張力を与える一対のローラーが設けられていることを特徴とする請求項１または請求項２に記載の消防用ホース巻き取り機。
【請求項４】
前記一対のローラーの端部側に、前記消防用ホースの一対のローラーからの外れを防止するための外れ防止部が設けられていることを特徴とする請求項３に記載の消防用ホース巻き取り機。
【考案の詳細な説明】
【技術分野】
【０００１】
消防用ホースを収納する際に消防用ホースを巻き取るための消防用ホース巻き取り機に関する。
【背景技術】
【０００２】
使用後の消防用ホースを収納する際には、通常、消防用ホースを二重にしてロール状に巻いて収納する。
【０００３】
このような消防用ホースの巻取り作業は手作業で行われてきたが、消防用ホースは重い上に、ごわごわしており、作業者の労力と熟練とが必要であった。
【０００４】
しかも、手作業では、消防用ホースを堅く巻き取ることができず、収納時に型くずれを起こすだけでなく、巻取りに時間を要するという問題があった。
【０００５】
このような問題点を解決すべく、シャフトの回転に伴って互いに互いの周りを回転する平行な一対の巻き付け棒に消防用ホースを巻き込むことにより消防用ホースを巻き取る消防用ホース巻き取り機が従来から知られている（特許文献１等参照）。
【特許文献１】特開平８−２６８６５１号公報
【考案の開示】
【考案が解決しようとする課題】
【０００６】
しかしながら、特許文献１の消防用ホース巻き取り機では、消防用ホースを迅速に堅く巻き取れるものの、巻き取った消防用ホースが一対の巻き付け棒を締め付けるため、消防用ホースを巻き付け棒から取り外すのが困難であるという問題があった。
【０００７】
そこで、本考案では、消防用ホースを堅く、迅速に巻き取ることができ、しかも、巻き取った消防用ホースを容易に取り外せる消防用ホース巻き取り機を提供することを目的としている。
【課題を解決するための手段】
【０００８】
上記目的を達成するために請求項１に記載の考案は、回転軸の回転に伴って互いに互いの周りを回転する平行な一対の巻き付け棒に消防用ホースを巻き込むことにより消防用ホースを巻き取る消防用ホース巻き取り機であって、
前記回転軸を正回転させた場合には前記一対の巻き付け棒間の距離を所定の距離に接近させた状態とし、該接近させた状態から前記回転軸を逆回転させた場合には前記一対の巻き付け棒間の距離を一端遠ざけた状態とした後に再び接近させた状態とする緩め機構を有している消防用ホース巻き取り機を特徴としている。
【０００９】
そして、請求項２に記載の考案は、前記緩め機構が、前記回転軸の回転に伴って回転する円板の変心位置に、該円板に垂直に固定された前記一方の巻き付け棒と、
該一方の巻き付け棒が伸びる側に前記円板に対向して配置されかつ前記回転軸と同軸上に回転自在に支承された略半円状のカムと、
該カムの回転軸の変心位置に、該カムに垂直に固定された前記カム側巻付棒４ＤＢと、
によって構成されている請求項１に記載の消防用ホース巻き取り機を特徴としている。
【００１０】
また、請求項３に記載の考案は、消防用ホースを案内すると共に消防用ホースを巻き取る際に該消防用ホースに適度な張力を与える一対のローラーが設けられている請求項１または請求項２に記載の消防用ホース巻き取り機を特徴としている。
【００１１】
さらに、請求項４に記載の考案は、前記一対のローラーの端部側に、前記消防用ホースの一対のローラーからの外れを防止するための外れ防止部が設けられている請求項３に記載の消防用ホース巻き取り機を特徴としている。
【考案の効果】
【００１２】
請求項１に記載の消防用ホース巻き取り機は、回転軸を正回転させた場合には一対の巻き付け棒間の距離を所定の距離に接近させた状態とし、この接近させた状態から回転軸を逆回転させた場合には一対の巻き付け棒間の距離を一端遠ざけた状態とした後に再び接近させた状態とする緩め機構を有しているので、
消防用ホースを正回転で巻き取る場合には、一対の巻き付け棒間の距離が所定の距離に接近しているので、消防用ホースの中心部を小さくして巻き付けることができ、しかも、巻取りが完了したら、回転軸を逆回転させることにより、消防用ホースの中心部を一端広げた状態とした後に再び一対の巻き付け棒を接近させて巻き取られた消防用ホースの一対の巻き付け棒の締め付けを緩める緩め機構を有しているので、巻き取った消防用ホースを容易に取り外すことができる。
【００１３】
そして、請求項２に記載の消防用ホース巻き取り機では、緩め機構が、回転軸の回転に伴って回転する円板の変心位置に、この円板に垂直に固定された一方の巻き付け棒と、一方の巻き付け棒が伸びる側に円板に対向して配置されかつ回転軸と同軸上に回転自在に支承された略半円状のカムと、このカムの回転軸の変心位置に、このカムに垂直に固定されたカム側巻付棒とによって構成されているので、比較的単純な構成で請求項１の緩め機構を構成することができる。
【００１４】
また、請求項３に記載の消防用ホース巻き取り機は、消防用ホースを案内すると共に消防用ホースを巻き取る際に、この消防用ホースに適度な張力を与える一対のローラーが設けられているので、消防用ホースを適度な堅さで巻き取ることができる。
【００１５】
さらに、請求項４に記載の消防用ホース巻き取り機には、一対のローラーの端部側に、消防用ホースの一対のローラーからの外れを防止するための外れ防止部が設けられているので、消防用ホースをスムーズに巻くことができるだけでなく、消防用ホースが回転軸方向にずれて巻かれるのを防ぐことができる。
【考案を実施するための最良の形態】
【００１６】
以下、本考案に係る実施の形態を実施例に基づいて説明する。
【実施例】
【００１７】
〈構成〉
図１において、符号１は本考案の消防用ホース巻き取り機である。
【００１８】
消防用ホース巻き取り機１は、台座部２と、一対の支柱部３，３と、巻取装置本体部４と、取手部５と、ガイド部６とによって構成されている。
【００１９】
台座部２は平面視略方形形状を呈しており、地面または床に載置される。この台座部２は、消防用ホース巻き取り機１の使用時の安定性を図るためにある程度の重量を有しているが、消防用ホース巻き取り機１の搬送を妨げない程度の重量となっている。
【００２０】
一対の支柱部３，３は、台座部２に垂直に互いに平行に取り付けられており、支柱部３，３の伸びる方向略中央位置には巻取装置本体部４が設けられている。
【００２１】
図１または図２に示すように、巻取装置本体部４は、略方形形状の取付プレート４Ａと、ハンドル部４Ｂと、軸受部４Ｃと、ホース巻付部４Ｄとによって構成されている。
【００２２】
取付プレート４Ａは、一対の支柱部３，３に掛け渡された状態で、一対の支柱部３，３の略中央位置に接合されている。
【００２３】
ハンドル部４Ｂは、クランクシャフト４Ｂａと、クランク部４Ｂｂと、回転グリップ部４Ｂｃとによって構成されている。
【００２４】
この回転グリップ部４Ｂｃを握って、クランクシャフト４Ｂａを軸として回転させることにより、ホース巻付部４Ｄを自在に回転させることができるようになっている。
【００２５】
クランクシャフト４Ｂａは、取付プレート４Ａの略中央部に固定された軸受部４Ｃによって、水平にかつ回転可能に支承されている。
【００２６】
図２または図３に示すように、クランクシャフト４Ｂａの端部には、緩め機構としてのホース巻付部４Ｄが設けられており、このホース巻付部４Ｄは、円板部４Ｄａと、半円状カム４Ｄｂと、円板側巻付棒４ＤＡと、カム側巻付棒４ＤＢとによって構成されている。
【００２７】
円板部４Ｄａは、クランクシャフト４Ｂａの端部近傍に固定されており、クランクシャフト４Ｂａの回転に伴って回転するようになっている。
【００２８】
円板部４Ｄａの回転軸から変心した位置には、円板側巻付棒４ＤＡが円板部４Ｄａに垂直かつ外向きに固定されている。
【００２９】
図３に示すように、半円状カム４Ｄｂは、略半円形状を呈し、円板部４Ｄａの円板側巻付棒４ＤＡが伸びる側に円板部４Ｄａに対向して配置されており、クランクシャフト４Ｂａと同軸上に回転自在に支承されている。
【００３０】
半円状カム４Ｄｂには、近側凹部４Ｄｂ１と、遠側凹部４Ｄｂ２とが半円形状の直径側の端縁に形成されている。
【００３１】
近側凹部４Ｄｂ１は、カム側巻付棒４ＤＢの取り付け位置に比較的近い位置に形成され、回転時に円板側巻付棒４ＤＡと当接し、遠側凹部４Ｄｂ２は、近側凹部４Ｄｂ１と比較してカム側巻付棒４ＤＢの取り付け位置から遠い位置に形成され、回転時に円板側巻付棒４ＤＡと当接する。
【００３２】
そして、支柱部３，３の上端部には、本考案の消防用ホース巻き取り機１を持ち運ぶ際に持ち易いように取手部５が設けられており、支柱部３，３の下端部近傍には、消防用ホースＨを巻取装置本体部４に案内するためのガイド部６が設けられている。
【００３３】
ガイド部６は、ベース板部６ａと、一対のガイドローラー６ｂ，６ｃと、ガイドバー６ｄとによって構成されている。
【００３４】
ベース板部６ａは板状を呈しており、取付プレート４Ａに平行かつ台座部２に垂直に設けられている。
【００３５】
一対のガイドローラー６ｂ，６ｃは略円筒形状を呈しており、板状のベース板部６ａに垂直かつ円板側巻付棒４ＤＡおよびカム側巻付棒４ＤＢと同じ側に回転可能に取り付けられている。
【００３６】
ガイドローラー６ｂの軸部の先端部には、ガイドバー６ｄが回動可能に取り付けられており、ガイドバー６ｄの開成時には、一対のガイドローラー６ｂ，６ｃの間に消防用ホースを挿通可能とし、ガイドバー６ｄの閉成時には、ガイドバー６ｄの先端部がガイドローラー６ｃの先端部に掛け渡されて、消防用ホースの一対のガイドローラー６ｂ，６ｃ間からの脱落を防止するようになっている。
【００３７】
〈緩め機構の動作〉
図４（ａ）に示すように、ハンドル部４Ｂを回転グリップ４Ｂｃ側から見て反時計回りに回転させると（この回転の向きを正回転とする。図では時計回り）、ハンドル部４Ｂと共に円板部４Ｄａが回転し、円板側巻付棒４ＤＡが半円状カム４Ｄｂの近側凹部４Ｄｂ１に突き当たり（図４の（ｂ）参照）、円板側巻付棒４ＤＡと近側凹部４Ｄｂ１とが当接した状態で、半円状カム４Ｄｂが円板側巻付棒４ＤＡにより押圧されて回転する（図４の（ｃ）参照）。
【００３８】
一方、図５（ａ）に示すように、 ハンドル部４Ｂを回転グリップ４Ｂｃ側から見て時計回りに回転させると（この回転の向きを逆回転とする。図では反時計回り）、ハンドル部４Ｂと共に円板部４Ｄａが回転し、円板側巻付棒４ＤＡが半円状カム４Ｄｂの遠側凹部４Ｄｂ２に突き当たり、円板側巻付棒４ＤＡと遠側凹部４Ｄｂ２とが当接した状態で、半円状カム４Ｄｂが円板側巻付棒４ＤＡにより押圧されて回転する（図５の（ｃ）参照）。
【００３９】
特に、図５（ａ）に示すように、クランクシャフト４Ｂａを正回転させた場合には、円板側巻付棒４ＤＡとカム側巻付棒４ＤＢとの間の距離は距離Ｌ１に接近した状態となっており、この状態からクランクシャフト４Ｂａを逆回転させた場合には、円板側巻付棒４ＤＡとカム側巻付棒４ＤＢとが直径上にあるとき一端遠ざかって距離Ｌ２の状態となった後に、円板側巻付棒４ＤＡと遠側凹部４Ｄｂ２とが当接して、再び距離Ｌ２よりは接近した距離Ｌ３の状態となる。本実施例のホース巻付部４Ｄでは、このようにして本考案の緩め機構を実現している。
【００４０】
〈消防用ホース巻き取り機の使用方法〉
まず、図６（ａ）に示すように、消防用ホースＨをその全長の約半分の長さ位置で２つ折りにして、この折り曲げ部を、カム側巻付棒４ＤＢに引っ掛けた状態で、一対のガイドローラー６ｂ，６ｃの間に重ね合わせた消防用ホースＨを挿通させて、ガイドバー６ｄを倒して消防用ホースＨが一対のガイドローラー６ｂ，６ｃの間から外れないようにする。
【００４１】
そして、ハンドル部４Ｂの回転グリップ４Ｂｃを掴んで、ハンドル部４Ｂを回転グリップ４Ｂｃ側から見て反時計回りに回転させる。
【００４２】
このように、ハンドル部４Ｂを回転させると、クランクシャフト４Ｂａの回転に伴い、クランクシャフト４Ｂａに固定された円板部４Ｄａが回転し、円板部４Ｄａの変心位置に固定された円板側巻付棒４ＤＡがクランクシャフト４Ｂａの回転軸を中心として回転する。
【００４３】
そして、図６（ｂ）に示すように、円板側巻付棒４ＤＡがある程度回転して、半円状カム４Ｄｂの近側凹部４Ｄｂ１に突き当たると、クランクシャフト４Ｂａと同軸上に回転自在に取り付けられた半円状カム４Ｄｂも一緒に回り始める。
【００４４】
半円状カム４Ｄｂが回転すると、消防用ホースＨが引っ掛けられたカム側巻付棒４ＤＢもこれに伴ってクランクシャフト４Ｂａの回転軸を中心として回転する。
【００４５】
このように、ハンドル部４Ｂを回転グリップ４Ｂｃ側から見て反時計回りに回転させると、カム側巻付棒４ＤＢと円板側巻付棒４ＤＡとは、クランクシャフト４Ｂａの回転軸を中心として回転しつつ、互いに互いの周りを回転する。
【００４６】
したがって、クランクシャフト４Ｂａを半周以上回転させると、カム側巻付棒４ＤＢと円板側巻付棒４ＤＡとが消防用ホースＨを巻き込んで、消防用ホースＨはカム側巻付棒４ＤＢと円板側巻付棒４ＤＡとの周りにロール状に巻き付けられる。
【００４７】
このとき、ガイドローラー６ｂによって消防用ホースＨに適度な張力が与えられ、しかも、ガイドバー６ｄによって消防用ホースＨのズレが補正されるので、消防用ホースＨをきれいにしっかりとロール状に巻くことができる。
【００４８】
そして、図６（ｃ）に示すように、消防用ホースＨの両端部に取り付けられた雄雌一対のジョイント部Ｊ１，Ｊ２が、一対のガイドローラー６ｂ，６ｃに突き当たるくらいまで巻き付け、ガイドバー６ｄを外しておく。
【００４９】
ところで、カム側巻付棒４ＤＢは、巻き付けられた消防用ホースＨの自重（慣性モーメント）により回転しにくくなっているので、図７に示すように、ハンドル部４Ｂを回転グリップ４Ｂｃ側から見て素速く少しだけ時計回りに逆回転させと、巻き付けられた消防用ホースＨは、ほとんど回転しない状態で、円板部４ＤＡだけが回転し、図７（ａ）に示すように、円板側巻付棒４ＤＡは当接していた半円状カム４Ｄｂの近側凹部４Ｄｂ１から離れ、クランクシャフト４Ｂａに対して略反対位置の半円状カム４Ｄｂの遠側凹部Ｄ２に突き当たる。
【００５０】
この間、上述した緩め機構により、円板側巻付棒４ＤＡとカム側巻付棒４ＤＢとの間の距離が一端遠ざかった状態とされた後に再び接近した状態となる。
【００５１】
このため、図７（ｂ）に示すように、円板側巻付棒４ＤＡとカム側巻付棒４ＤＢとの間の距離が一端遠ざかった状態で、巻き付けられた消防用ホースＨの中央部が外側に押し広げられ、図７（ｃ）に示すように、再び接近した状態で、消防用ホースＨの中央部に僅かに緩みが生じるので、円板側巻付棒４ＤＡとカム側巻付棒４ＤＢとの外周面と、巻き付けられた消防用ホースＨ中央部の当接端面との締付け力が減少して摩擦力が減少するため、ロール状に巻かれた消防用ホースＨが回転軸方向に抜けやすくなる。
【００５２】
そこで、ロール状に巻き付けられた消防用ホースＨの外周部を掴んで、回転軸方向に抜き取る。
【００５３】
このとき、カム側巻付棒４ＤＢおよび円板側巻付棒４ＤＡは端部側に向かうにつれて縮径するテーパー形状を呈しているので、僅かに引っ張るだけで、ロール状に巻き付けられた消防用ホースＨを簡単に取り外すことができる。
【００５４】
〈作用効果〉
本実施例の消防用ホース巻き取り機１は、クランクシャフト４Ｂａを正回転させた場合にはカム側巻付棒４ＤＢと円板側巻付棒４ＤＡとの間の距離を距離Ｌ１に接近させた状態とし、この接近させた状態からクランクシャフト４Ｂａを逆回転させた場合にはカム側巻付棒４ＤＢと円板側巻付棒４ＤＡとの間の距離を距離Ｌ２に一端遠ざけた状態とした後に再び距離Ｌ３に接近させた状態とする緩め機構を有しているので、
消防用ホースＨを正回転で巻き取る場合には、カム側巻付棒４ＤＢと円板側巻付棒４ＤＡとの間の距離が距離Ｌ１に接近しているので、消防用ホースＨの中心部を小さくして巻き付けることができ、しかも、巻取りが完了したら、クランクシャフト４Ｂａを逆回転させることにより、消防用ホースＨの中心部を一端広げた距離Ｌ２の状態とした後に再びカム側巻付棒４ＤＢと円板側巻付棒４ＤＡとを接近させて距離Ｌ３として、巻き取られた消防用ホースＨのカム側巻付棒４ＤＢと円板側巻付棒４ＤＡとの締め付けを緩める緩め機構を有しているので、巻き取った消防用ホースＨを容易に取り外すことができる。
【００５５】
そして、本実施例の消防用ホース巻き取り機１では、緩め機構が、クランクシャフト４Ｂａの回転に伴って回転する円板の変心位置に、この円板に垂直に固定された円板側巻付棒４ＤＡと、円板側巻付棒４ＤＡが伸びる側に円板Ｄに対向して配置されかつクランクシャフト４Ｂａと同軸のクランクシャフト４Ｂａに回転自在に支承された略半円状の半円状カム４Ｄｂと、この半円状カム４Ｄｂのクランクシャフト４Ｂａの変心位置に、この半円状カム４Ｄｂに垂直に固定されたカム側巻付棒４ＤＢとによって構成されているので、比較的単純な構成で緩め機構を構成することができる。
【００５６】
また、本実施例の消防用ホース巻き取り機１は、消防用ホースＨを案内すると共に消防用ホースＨを巻き取る際に、この消防用ホースＨに適度な張力を与える一対のガイドローラー６ｂ，６ｃが設けられているので、消防用ホースＨを適度な堅さで巻き取ることができる。
【００５７】
さらに、本実施例の消防用ホース巻き取り機１には、一対のガイドローラー６ｂ，６ｃの端部側に、消防用ホースＨの一対のガイドローラー６ｂ，６ｃからの外れを防止するガイドバー６ｄが設けられているので、消防用ホースＨをスムーズに巻くことができるだけでなく、消防用ホースＨがクランクシャフト４Ｂａ方向にずれて巻かれるのを防ぐことができる。
【００５８】
以上、図面を参照して、本考案の最良の実施の形態を詳述してきたが、具体的な構成は、この実施の形態に限らず本考案の要旨を逸脱しない程度の設計的変更は本考案に含まれる。
【図面の簡単な説明】
【００５９】
【図１】本考案の消防用ホース巻き取り機の正面図である。
【図２】本考案の消防用ホース巻き取り機の側面図である。
【図３】本考案の消防用ホース巻き取り機の裏面図である。
【図４】本考案の消防用ホース巻き取り機に係るハンドル部と緩め機構としてのホース巻付部の裏面図であり、図の（ａ）〜（ｃ）は、ハンドル部を正回転させた場合の緩め機構の動作を示す図である。
【図５】本考案の消防用ホース巻き取り機に係るハンドル部と緩め機構としてのホース巻付部の裏面図であり、図の（ａ）〜（ｃ）は、ハンドル部を逆回転させた場合の緩め機構の動作を示す図である。
【図６】本考案の消防用ホース巻き取り機の使用方法を示す正面図である。
【図７】本考案の消防用ホース巻き取り機の使用方法を示す正面図であり、ハンドル部を逆回転させて、巻き取られた消防用ホースの中心部の巻き付きを緩める様子を示す図である。
【符号の説明】
【００６０】
１                      消防用ホース巻き取り機
４Ｂａ                  クランクシャフト（回転軸）
４Ｄ                    ホース巻付部（緩め機構）
４Ｄａ                  円板
４Ｄｂ                  半円状カム（カム）
４ＤＡ                  円板側巻付棒（一方の巻き付け棒）
４ＤＢ                  カム側巻付棒（他方の巻き付け棒）
６ｂ，６ｃ              ガイドローラー（ローラー）
６ｄ                    ガイドプレート（ガイド部）
Ｈ                      消防用ホース
【図１】
0003140799.tif 000003
【図２】
0003140799.tif 000004
【図３】
0003140799.tif 000005
【図４】
0003140799.tif 000006
【図５】
0003140799.tif 000007
【図６】
0003140799.tif 000008
【図７】
0003140799.tif 000009